(57)【特許請求の範囲】
【請求項１】
ネットワークを介して接続されるそれぞれの機器を表す機器アイコンを一方向に並べて表示させ、
前記機器アイコンの並びの下に、再生機能を表す、再生元の機器の情報を表示する領域を表す画像からなる機能アイコンと、ダビング機能を表す、ダビング元の機器の情報を表示する第１の領域を表す画像、ダビング先の機器の情報を表示する第２の領域を表す画像、および前記第１の領域から前記第２の領域に向かう矢印からなる機能アイコンとを、前記一方向と直交する方向に並べて表示させ、
前記リモートコントローラの前記直交する方向の操作に応じて前記ダビング機能を表す機能アイコンが選択された状態で決定ボタンが押されることによってダビング機能が選択された場合、前記再生機能を表す機能アイコンの表示を消し、前記ダビング機能を表す機能アイコンを拡大して表示させるとともに、ダビング元の機器を選択することを指示する第１の説明を表示させ、
前記リモートコントローラの前記一方向の操作に応じていずれかの機器アイコンが選択された状態で決定ボタンが押されることによってダビング元の機器が選択された場合、選択された機器を表す機器アイコンを拡大して前記第１の領域に表示させるとともに、前記第１の説明に替えて、ダビング先の機器を選択することを指示する第２の説明を表示させ、
前記リモートコントローラの前記一方向の操作に応じていずれかの機器アイコンが選択された状態で決定ボタンが押されることによってダビング先の機器が選択された場合、選択された機器を表す機器アイコンを拡大して前記第２の領域に表示させるとともに、前記第２の説明に替えて、ダビングの開始を指示するときに操作されるダビング開始ボタンと、ダビングの終了を指示するときに操作されるダビング終了ボタンを、前記直交する方向に並べて、前記ダビング開始ボタンが前記ダビング終了ボタンより大きくなるように表示させ、
前記リモートコントローラの決定ボタンが押されることによってダビングの開始が指示された場合、前記第１の領域から前記第２の領域に向けて矢印が流れるアニメーションを表示させるとともに、前記ダビング開始ボタンと前記ダビング終了ボタンを、前記直交する方向に並べて、前記ダビング終了ボタンが前記ダビング開始ボタンより大きくなるように表示させる
表示制御手段と、
ダビングの開始が指示されたとき、ダビング対象のデータを前記ダビング先の機器に前記ネットワークを介して送信することを指示するコマンドを前記ダビング元の機器に対して送信する制御手段と
を備える情報処理装置。
【請求項２】
ネットワークを介して接続されるそれぞれの機器を表す機器アイコンを一方向に並べて表示させ、
前記機器アイコンの並びの下に、再生機能を表す、再生元の機器の情報を表示する領域を表す画像からなる機能アイコンと、ダビング機能を表す、ダビング元の機器の情報を表示する第１の領域を表す画像、ダビング先の機器の情報を表示する第２の領域を表す画像、および前記第１の領域から前記第２の領域に向かう矢印からなる機能アイコンとを、前記一方向と直交する方向に並べて表示させ、
前記リモートコントローラの前記直交する方向の操作に応じて前記ダビング機能を表す機能アイコンが選択された状態で決定ボタンが押されることによってダビング機能が選択された場合、前記再生機能を表す機能アイコンの表示を消し、前記ダビング機能を表す機能アイコンを拡大して表示させるとともに、ダビング元の機器を選択することを指示する第１の説明を表示させ、
前記リモートコントローラの前記一方向の操作に応じていずれかの機器アイコンが選択された状態で決定ボタンが押されることによってダビング元の機器が選択された場合、選択された機器を表す機器アイコンを拡大して前記第１の領域に表示させるとともに、前記第１の説明に替えて、ダビング先の機器を選択することを指示する第２の説明を表示させ、
前記リモートコントローラの前記一方向の操作に応じていずれかの機器アイコンが選択された状態で決定ボタンが押されることによってダビング先の機器が選択された場合、選択された機器を表す機器アイコンを拡大して前記第２の領域に表示させるとともに、前記第２の説明に替えて、ダビングの開始を指示するときに操作されるダビング開始ボタンと、ダビングの終了を指示するときに操作されるダビング終了ボタンを、前記直交する方向に並べて、前記ダビング開始ボタンが前記ダビング終了ボタンより大きくなるように表示させ、
前記リモートコントローラの決定ボタンが押されることによってダビングの開始が指示された場合、前記第１の領域から前記第２の領域に向けて矢印が流れるアニメーションを表示させるとともに、前記ダビング開始ボタンと前記ダビング終了ボタンを、前記直交する方向に並べて、前記ダビング終了ボタンが前記ダビング開始ボタンより大きくなるように表示させる
表示制御ステップと、
ダビングの開始が指示されたとき、ダビング対象のデータを前記ダビング先の機器に前記ネットワークを介して送信することを指示するコマンドを前記ダビング元の機器に対して送信する制御ステップと
を含む情報処理方法。
【請求項３】
ネットワークを介して接続されるそれぞれの機器を表す機器アイコンを一方向に並べて表示させ、
前記機器アイコンの並びの下に、再生機能を表す、再生元の機器の情報を表示する領域を表す画像からなる機能アイコンと、ダビング機能を表す、ダビング元の機器の情報を表示する第１の領域を表す画像、ダビング先の機器の情報を表示する第２の領域を表す画像、および前記第１の領域から前記第２の領域に向かう矢印からなる機能アイコンとを、前記一方向と直交する方向に並べて表示させ、
前記リモートコントローラの前記直交する方向の操作に応じて前記ダビング機能を表す機能アイコンが選択された状態で決定ボタンが押されることによってダビング機能が選択された場合、前記再生機能を表す機能アイコンの表示を消し、前記ダビング機能を表す機能アイコンを拡大して表示させるとともに、ダビング元の機器を選択することを指示する第１の説明を表示させ、
前記リモートコントローラの前記一方向の操作に応じていずれかの機器アイコンが選択された状態で決定ボタンが押されることによってダビング元の機器が選択された場合、選択された機器を表す機器アイコンを拡大して前記第１の領域に表示させるとともに、前記第１の説明に替えて、ダビング先の機器を選択することを指示する第２の説明を表示させ、
前記リモートコントローラの前記一方向の操作に応じていずれかの機器アイコンが選択された状態で決定ボタンが押されることによってダビング先の機器が選択された場合、選択された機器を表す機器アイコンを拡大して前記第２の領域に表示させるとともに、前記第２の説明に替えて、ダビングの開始を指示するときに操作されるダビング開始ボタンと、ダビングの終了を指示するときに操作されるダビング終了ボタンを、前記直交する方向に並べて、前記ダビング開始ボタンが前記ダビング終了ボタンより大きくなるように表示させ、
前記リモートコントローラの決定ボタンが押されることによってダビングの開始が指示された場合、前記第１の領域から前記第２の領域に向けて矢印が流れるアニメーションを表示させるとともに、前記ダビング開始ボタンと前記ダビング終了ボタンを、前記直交する方向に並べて、前記ダビング終了ボタンが前記ダビング開始ボタンより大きくなるように表示させる
表示制御ステップと、
ダビングの開始が指示されたとき、ダビング対象のデータを前記ダビング先の機器に前記ネットワークを介して送信することを指示するコマンドを前記ダビング元の機器に対して送信する制御ステップと
を含む処理をコンピュータに実行させるプログラムが記録されている記録媒体。
【発明の詳細な説明】
【０００１】
【発明の属する技術分野】
本発明は、情報処理装置および情報処理方法、並びに記録媒体に関し、特に、ユーザが次に選択する可能性の高い制御ボタンを予め選択された状態にしたり、選択のための操作を単純化したり、ユーザが選択した内容を合成して表示したり、アイコンに処理中であることを表す動画像を追加することにより、優れたユーザインタフェイスと操作性を実現するようにした情報処理装置および情報処理方法、並びに記録媒体に関する。
【０００２】
【従来の技術】
例えば、IEEE1394シリアルバスなどのホームネットワークにおいて、複数の情報処理装置（例えば、デジタルビデオカムコーダ、CD（Compact Disc）プレーヤ、パーソナルコンピュータ等）を接続し、情報の送受信や、録音（録画）または再生を行わせる場合、各情報処理装置を集中して制御できるように、１台の情報処理装置（例えば、セットトップボックス）に、他の情報処理装置を制御する機能が付加される。即ち、セットトップボックスには、ユーザがこれらの情報処理装置を制御する上で必要なユーザインタフェイスとして、モニタによる表示画面が提供され、ユーザは、モニタ画面を参照しながら、それらの情報処理装置が行う各種処理を指示するために、操作パネル、もしくはリモートコマンダを操作する。
【０００３】
【発明が解決しようとする課題】
しかしながら、ユーザがモニタ画面を参照しながら実行する操作の手順は、ネットワークに接続される情報処理装置の種類の増加と、それぞれの情報処理装置の機能の向上に伴い、複雑化する傾向にある。そして、従来のモニタ表示画面では、例えば、処理を実行する情報処理装置を指定する部分と、その処理内容を指示する部分が用意されているが、それらは、たとえ同一画面上に表示されていたとしても、機能としては独立しているため、装置と処理との関連が理解し難いという課題がある。
【０００４】
本発明はこのような状況に鑑みてなされたものであり、ユーザが次に選択する可能性の高い制御ボタンを予め選択された状態にしたり、選択のための操作を単純化したり、ユーザが選択した内容を合成して表示したり、アイコンに処理中であることを表す動画像を追加することにより、ユーザにとって分かり易く、かつ、操作性に優れたユーザインタフェイスを提供するものである。
【０００５】
【課題を解決するための手段】
本発明の第１の情報処理装置は、ネットワークを介して接続されるそれぞれの機器を表す機器アイコンを一方向に並べて表示させ、前記機器アイコンの並びの下に、再生機能を表す、再生元の機器の情報を表示する領域を表す画像からなる機能アイコンと、ダビング機能を表す、ダビング元の機器の情報を表示する第１の領域を表す画像、ダビング先の機器の情報を表示する第２の領域を表す画像、および前記第１の領域から前記第２の領域に向かう矢印からなる機能アイコンとを、前記一方向と直交する方向に並べて表示させ、前記リモートコントローラの前記直交する方向の操作に応じて前記ダビング機能を表す機能アイコンが選択された状態で決定ボタンが押されることによってダビング機能が選択された場合、前記再生機能を表す機能アイコンの表示を消し、前記ダビング機能を表す機能アイコンを拡大して表示させるとともに、ダビング元の機器を選択することを指示する第１の説明を表示させ、前記リモートコントローラの前記一方向の操作に応じていずれかの機器アイコンが選択された状態で決定ボタンが押されることによってダビング元の機器が選択された場合、選択された機器を表す機器アイコンを拡大して前記第１の領域に表示させるとともに、前記第１の説明に替えて、ダビング先の機器を選択することを指示する第２の説明を表示させ、前記リモートコントローラの前記一方向の操作に応じていずれかの機器アイコンが選択された状態で決定ボタンが押されることによってダビング先の機器が選択された場合、選択された機器を表す機器アイコンを拡大して前記第２の領域に表示させるとともに、前記第２の説明に替えて、ダビングの開始を指示するときに操作されるダビング開始ボタンと、ダビングの終了を指示するときに操作されるダビング終了ボタンを、前記直交する方向に並べて、前記ダビング開始ボタンが前記ダビング終了ボタンより大きくなるように表示させ、前記リモートコントローラの決定ボタンが押されることによってダビングの開始が指示された場合、前記第１の領域から前記第２の領域に向けて矢印が流れるアニメーションを表示させるとともに、前記ダビング開始ボタンと前記ダビング終了ボタンを、前記直交する方向に並べて、前記ダビング終了ボタンが前記ダビング開始ボタンより大きくなるように表示させる表示制御手段と、ダビングの開始が指示されたとき、ダビング対象のデータを前記ダビング先の機器に前記ネットワークを介して送信することを指示するコマンドを前記ダビング元の機器に対して送信する制御手段とを備える。
【０００６】
本発明の第１の情報処理方法は、ネットワークを介して接続されるそれぞれの機器を表す機器アイコンを一方向に並べて表示させ、前記機器アイコンの並びの下に、再生機能を表す、再生元の機器の情報を表示する領域を表す画像からなる機能アイコンと、ダビング機能を表す、ダビング元の機器の情報を表示する第１の領域を表す画像、ダビング先の機器の情報を表示する第２の領域を表す画像、および前記第１の領域から前記第２の領域に向かう矢印からなる機能アイコンとを、前記一方向と直交する方向に並べて表示させ、前記リモートコントローラの前記直交する方向の操作に応じて前記ダビング機能を表す機能アイコンが選択された状態で決定ボタンが押されることによってダビング機能が選択された場合、前記再生機能を表す機能アイコンの表示を消し、前記ダビング機能を表す機能アイコンを拡大して表示させるとともに、ダビング元の機器を選択することを指示する第１の説明を表示させ、前記リモートコントローラの前記一方向の操作に応じていずれかの機器アイコンが選択された状態で決定ボタンが押されることによってダビング元の機器が選択された場合、選択された機器を表す機器アイコンを拡大して前記第１の領域に表示させるとともに、前記第１の説明に替えて、ダビング先の機器を選択することを指示する第２の説明を表示させ、前記リモートコントローラの前記一方向の操作に応じていずれかの機器アイコンが選択された状態で決定ボタンが押されることによってダビング先の機器が選択された場合、選択された機器を表す機器アイコンを拡大して前記第２の領域に表示させるとともに、前記第２の説明に替えて、ダビングの開始を指示するときに操作されるダビング開始ボタンと、ダビングの終了を指示するときに操作されるダビング終了ボタンを、前記直交する方向に並べて、前記ダビング開始ボタンが前記ダビング終了ボタンより大きくなるように表示させ、前記リモートコントローラの決定ボタンが押されることによってダビングの開始が指示された場合、前記第１の領域から前記第２の領域に向けて矢印が流れるアニメーションを表示させるとともに、前記ダビング開始ボタンと前記ダビング終了ボタンを、前記直交する方向に並べて、前記ダビング終了ボタンが前記ダビング開始ボタンより大きくなるように表示させる表示制御ステップと、ダビングの開始が指示されたとき、ダビング対象のデータを前記ダビング先の機器に前記ネットワークを介して送信することを指示するコマンドを前記ダビング元の機器に対して送信する制御ステップとを含む。
【０００７】
本発明の第１の記録媒体は、ネットワークを介して接続されるそれぞれの機器を表す機器アイコンを一方向に並べて表示させ、前記機器アイコンの並びの下に、再生機能を表す、再生元の機器の情報を表示する領域を表す画像からなる機能アイコンと、ダビング機能を表す、ダビング元の機器の情報を表示する第１の領域を表す画像、ダビング先の機器の情報を表示する第２の領域を表す画像、および前記第１の領域から前記第２の領域に向かう矢印からなる機能アイコンとを、前記一方向と直交する方向に並べて表示させ、前記リモートコントローラの前記直交する方向の操作に応じて前記ダビング機能を表す機能アイコンが選択された状態で決定ボタンが押されることによってダビング機能が選択された場合、前記再生機能を表す機能アイコンの表示を消し、前記ダビング機能を表す機能アイコンを拡大して表示させるとともに、ダビング元の機器を選択することを指示する第１の説明を表示させ、前記リモートコントローラの前記一方向の操作に応じていずれかの機器アイコンが選択された状態で決定ボタンが押されることによってダビング元の機器が選択された場合、選択された機器を表す機器アイコンを拡大して前記第１の領域に表示させるとともに、前記第１の説明に替えて、ダビング先の機器を選択することを指示する第２の説明を表示させ、前記リモートコントローラの前記一方向の操作に応じていずれかの機器アイコンが選択された状態で決定ボタンが押されることによってダビング先の機器が選択された場合、選択された機器を表す機器アイコンを拡大して前記第２の領域に表示させるとともに、前記第２の説明に替えて、ダビングの開始を指示するときに操作されるダビング開始ボタンと、ダビングの終了を指示するときに操作されるダビング終了ボタンを、前記直交する方向に並べて、前記ダビング開始ボタンが前記ダビング終了ボタンより大きくなるように表示させ、前記リモートコントローラの決定ボタンが押されることによってダビングの開始が指示された場合、前記第１の領域から前記第２の領域に向けて矢印が流れるアニメーションを表示させるとともに、前記ダビング開始ボタンと前記ダビング終了ボタンを、前記直交する方向に並べて、前記ダビング終了ボタンが前記ダビング開始ボタンより大きくなるように表示させる表示制御ステップと、ダビングの開始が指示されたとき、ダビング対象のデータを前記ダビング先の機器に前記ネットワークを介して送信することを指示するコマンドを前記ダビング元の機器に対して送信する制御ステップとを含む処理をコンピュータに実行させるプログラムが記録されている。
【００２１】
【発明の実施の形態】
以下、図面を参照して、本発明の実施の形態について説明する。
【００２２】
図１は、ホームネットワーク等で、複数の情報処理装置を接続している場合のネットワークシステムの構成を示すブロック図である。
【００２３】
IEEE1394シリアルバス１には、デジタルビデオカムコーダ２乃至４、パーソナルコンピュータ５、ハードディスクレコーダ（HDR）６、CDプレーヤ７、MDプレーヤ８およびセットトップボックス（STB）９が接続されている。セットトップボックス９には、スピーカ１０、モニタ１１およびビデオディスクレコーダ１２が直接接続されている。
【００２４】
セットトップボックス９は、IEEE1394シリアルバス１を介して、デジタルビデオカムコーダ２乃至MDプレーヤ８に対して、GUID(Global Unique Identifier)、または、それぞれが有する機能を問い合わせる信号とともに、内部に保有している、もしくは挿入される記憶媒体に変化が生じたとき（例えば、記録媒体が排出された場合、挿入された記憶媒体が書き込み不可のものである場合、内部の記録媒体の空き容量が少なくなったために、さらに新しいデータを書き込むことができなくなった場合など）には、その変化内容を表す信号を、セットトップボックス９に送信する要求を示す信号を送信する。
【００２５】
デジタルビデオカムコーダ２乃至MDプレーヤ８は、受信した問い合わせ信号に対応して、自分自身のGUIDまたは機能を示す信号をセットトップボックス９に送信する。セットトップボックス９は、これらの情報から、IEEE1394シリアルバス１に接続されている機器の接続状態を検知し、それらの機器と、自分自身に直接切接続されているビデオディスクレコーダ１２を制御するためのGUI（Graphical User Interface）をモニタ１１に表示させる。
【００２６】
また、デジタルビデオカムコーダ２乃至MDプレーヤ８は、自分自身に挿入されているメディア、もしくは、ハードディスクなどの内部の記録媒体の状態に変化が生じた場合、その内容を表す信号をセットトップボックス９に送信する。ビデオディスクレコーダ１２も、デジタルビデオカムコーダ２乃至MDプレーヤ８と同様に、記録媒体の変化の内容を表す信号を、セットトップボックス９に送信する。
【００２７】
ユーザは、モニタ１１の表示を基に、セットトップボックス９の本体の図示しない操作キー、もしくは、図３を用いて後述するリモートコマンダを操作し、IEEE1394シリアルバス１に接続されているデジタルビデオカムコーダ２乃至MDプレーヤ８、およびセットトップボックス９に接続されているビデオディスクレコーダ１２のうち、所望の機器を選択し、更に、選択した機器が実行する処理を指示する。セットトップボックス９は、ユーザの操作に基づいて、制御信号を生成し、IEEE1394シリアルバス１を介して、デジタルビデオカムコーダ２乃至MDプレーヤ８に供給するか、または、ビデオディスクレコーダ１２に、直接出力する。デジタルビデオカムコーダ２乃至MDプレーヤ８、およびビデオディスクレコーダ１２は、入力された制御信号に従って、例えば、音声データや映像データの再生、IEEE1394シリアルバス１を介したデータの送受信、および、受信したデータの記録等の処理を実行する。
【００２８】
図２は、セットトップボックス９の詳細な構成を示すブロック図である。操作制御部２１は、図示しない操作キー、および、図３を用いて後述するリモートコマンダから送信される、例えば、赤外線などの信号を受信する受信部を含み、ユーザが、操作キーもしくはリモートコマンダを操作した場合、その操作に対応する信号を生成し、内部制御部２２に出力する。内部制御部２２は、操作制御部２１から入力された信号に基づいて、例えば、デジタルビデオカムコーダ２乃至MDプレーヤ８の処理を制御するための制御信号を生成し、IEEE1394シリアルバスインタフェイス２３を介して、生成した制御信号を出力したり、ビデオディスクレコーダ１２を制御するための制御信号を生成し、入出力制御部２４を介して、生成した制御信号を出力したり、チューナ２５に、放送波を受信させ、復調させるといった処理を実行させる。
【００２９】
また、内部制御部２２は、IEEE1394シリアルバス１に接続されているデジタルビデオカムコーダ２乃至MDプレーヤ８のGUID、もしくはそれぞれの機能を問い合わせる問い合わせ信号を生成し、IEEE1394シリアルバスインタフェイス２３およびIEEE1394シリアルバス１を介して、デジタルビデオカムコーダ２乃至MDプレーヤ８に、それぞれ出力する。
【００３０】
更に、内部制御部２２には、デジタルビデオカムコーダ２乃至MDプレーヤ８から、IEEE1394シリアルバス１およびIEEE1394シリアルバスインタフェイス２３を介して、ビデオディスクレコーダ１２から、入出力制御部２４を介して、例えば、音声データ、映像データなどが入力され、メモリ２６から、モニタに表示するためのメッセージやアイコンに対応するデータが入力され、チューナ２５から、チューナ２５が受信し、復調した受信波に対応する信号が入力される。
【００３１】
内部制御部２２に入力された、これらのデータおよび信号は、操作制御部２１から入力される制御信号に従って、それぞれのデータに適応した処理がなされ、音声データは、音声信号再生部２７を介してスピーカ１０に出力され、映像データは、映像信号再生部２８を介して映像ミックス部３０に出力され、メッセージやアイコンに対応するデータは、グラフィックス表示信号作成部２９で画像データに変換され、映像ミックス部３０に出力される。そして、映像ミックス部３０は、映像データとメッセージやアイコンに対応する画像データを１つの画像に合成し、モニタ１１に出力する。
【００３２】
入出力制御部２４には、セットトップボックス９に直接接続される機器（例えば、図１のビデオディスクレコーダ１２）が接続され、内部制御部２２に、接続されている機器の情報を表す信号を出力する。
【００３３】
メモリ２６には、内部制御部２２が実行するプログラム、プログラムの実行に伴って生成されるデータ、接続されている機器（例えば、図１のデジタルビデオカムコーダ２乃至MDプレーヤ８およびビデオディスクレコーダ１２）に関する情報、および、モニタ１１に表示されるメッセージやアイコンに対応するデータなどが保存される。それらのプログラムやデータは、必要に応じて、内部制御部２２に読み出される。
【００３４】
ドライブ３１は、内部制御部２２に接続されており、磁気ディスク３２、光ディスク３３、光磁気ディスク３４、および半導体メモリ３５などが挿入可能である。内部制御部２２は、磁気ディスク３２乃至半導体メモリ３５に記憶されているデータを読み出すことができる。
【００３５】
図３は、ユーザが各種操作を実行するためのリモートコマンダの外観の構成を示す図である。リモートコマンダ４１には、例えば、受信した放送波のチャンネルを選択するためのテンキー５１の他に、操作の取り消しを指示するためのエスケープキー５２、図４を用いて後述するモニタ１１の機器制御画面に表示される各種アイコンもしくは各種ボタンを選択するためのカーソルキー５３、および、選択を決定するための決定キー５４が搭載されている。
【００３６】
図４に、内部制御部２２が、モニタ１１に表示させる、機器制御画面６１の例を示す。機器制御画面６１は、機器アイコン表示部７１、ファンクション表示部７２、および、メッセージ表示部７３で構成されている。機器アイコン表示部７１には、IEEE1394シリアルバス１およびセットトップボックス９に接続されている情報処理装置に対応するアイコン（以下、機器アイコンと称する）が表示される。その表示方法としては、図４に示すように、IEEE1394シリアルバス１およびセットトップボックス９に接続させることが可能な機器に対応する機器アイコンを予め表示させておき、接続されている機器に対応する機器アイコンをハイライトさせ、接続されていない機器に対応する機器アイコンをハイライトさせないようにしてもよいし、機器アイコンの表示と非表示によって接続されている機器を表すようにしてもよい。
【００３７】
機器アイコンに対応する機器に、メディアが挿入されていなかったり、書き込み禁止のメディアが挿入されている場合、内部制御部２２は、IEEE1394シリアルバスインタフェイス２３もしくは入出力制御部２４から入力される信号を基に、例えば、機器アイコンの表示色を変更したり、図５（Ａ）に示されるようなアンダーラインや、図５（Ｂ）に示されるような鍵のマークなどの、書き込み禁止であることがユーザに分かるようなマークを付加して表示させるようにするとともに、メモリ２６に保存されている、対応する機器に関する情報を書き換える。これによって、ユーザは、視覚的に、機器に挿入されているメディアの状態を把握することができる。また、ユーザの操作により選択されている機器アイコンは、図９を用いて後述するように、例えば、ハイライトさせたり、表示色を変更させたり、大きく表示させることができる。
【００３８】
ファンクション表示部７２には、再生やダビングなどの処理を表すアイコン（以下、機能アイコンと称する）や、再生ボタン、停止ボタンなどの、操作を指示するためのボタン（以下、制御ボタンと称する）が表示される。ここでは、再生処理を表す機能アイコン８１およびダビング処理を表す機能アイコン８２が表示されている。そして、メッセージ表示部７３には、その時点において、ユーザが操作する上で補助となるようなメッセージ（例えば、次の処理を促すための操作説明など）が表示される。
【００３９】
次に、図６のフローチャートを参照して、セットトップボックス９が、モニタ１１に表示させるユーザ操作画面における、機器アイコン表示処理について説明する。
【００４０】
まず、ステップＳ１において、内部制御部２２は、IEEE1394シリアルバスインタフェイス２３および入出力制御部２４から入力される信号を基に、IEEE1394シリアルバス１およびセットトップボックス９に、新たな機器が接続されたか否かを判断する。ステップＳ１において、新たな機器が接続されていないと判断された場合、処理はステップＳ３に進む。
【００４１】
ステップＳ１において、新たな機器が接続されたと判断された場合、ステップＳ２において、内部制御部２２は、新たに接続された機器に対応する機器アイコンを選択し、それをハイライトさせるためのデータを、グラフィックス表示信号作成部２９に出力する。グラフィックス表示信号作成部２９は、選択された機器アイコンをハイライトさせる映像信号を生成し、映像ミックス部３０を介してモニタ１１に出力し、機器制御画面６１の機器アイコン表示部７１に表示させる。そして、処理はステップＳ１に戻り、それ以降の処理が繰り返される。
【００４２】
機器アイコンの選択は、接続された順番に行われる。例えば、図４の例では、デジタルビデオカムコーダのための機器アイコンとして、ＤＶ１，ＤＶ２，ＤＶ３の３個が用意されており、最初に接続されたデジタルビデオカムコーダに機器アイコンＤＶ１が割り当てられ、以下、接続された順番に、機器アイコンＤＶ２，ＤＶ３が順次割り当てられる。例えば、デジタルビデオカムコーダが１台だけ接続されている場合、機器アイコンＤＶ１，ＤＶ２，ＤＶ３のうち、機器アイコンＤＶ１だけがハイライト表示される。
【００４３】
ステップＳ３において、内部制御部２２は、IEEE1394シリアルバスインタフェイス２３および入出力制御部２４から入力される信号を基に、IEEE1394シリアルバス１およびセットトップボックス９に接続されていた機器が、離脱されたか否かを判断する。ステップＳ３において、機器が離脱されていないと判断された場合、処理はステップＳ１に戻り、それ以降の処理が繰り返される。
【００４４】
ステップＳ３において、機器が離脱されたと判断された場合、ステップＳ４において、内部制御部２２は、離脱された機器に対応する機器アイコンのハイライト表示を解除するためのデータを、グラフィックス表示信号作成部２９に出力し、離脱された機器に対応する機器アイコンのハイライト表示が解除された画像データを生成させ、映像ミックス部３０を介してモニタ１１に出力させる。これにより、機器制御画面６１の機器アイコン表示部７１の表示が変更される。そして、処理はステップＳ１に戻り、それ以降の処理が繰り返される。このような処理が行われるので、ユーザは、機器アイコン表示部７１の表示から、今接続されている機器を確認することができる。
【００４５】
以上においては、予め用意されている機器アイコンの中から、接続されている機器に対応する機器アイコンをハイライト表示させるようにしたが、接続された機器アイコンのみを表示させるようにしてもよい。
【００４６】
次に、図７および図８のフローチャートを参照して、IEEE1394シリアルバス１もしくはセットトップボックス９に接続されている機器、もしくは、機器に挿入されているメディアに記録されているデータを再生する処理について説明する。
【００４７】
ステップＳ１１において、内部制御部２２は、機器制御画面６１を表示させるのに必要なデータを、映像信号再生部２８およびグラフィックス表示信号作成部２９に出力し、映像ミックス部３０において、１つの画像データに合成させ、モニタ１１に出力させる。これにより、モニタ１１に、図４に示すような機器制御画面６１が表示される（以下、説明は省略するが、内部制御部２２によるモニタ１１の画面表示処理は、同様に実行される）。このとき、モニタ１１の機器制御画面６１のメッセージ表示部７３には、「Please Chose FUNCTIN」という操作説明が表示される。
【００４８】
ステップＳ１２において、ユーザは、メッセージ表示部７３に表示されているメッセージに従って、リモートコマンダ４１のカーソルキー５３のうちの上下カーソルキー５３Ｕ，５３Ｄを操作することにより、ファンクション表示部７２に表示されている機能アイコンに対応する処理（ここでは、再生もしくはダビング）のうちの所望の処理を表す機能アイコンを選択する。ここでは、ユーザは、再生処理を指示する機能アイコン８１を選択することとする。そして、内部制御部２２は、操作制御部２１からの制御信号に従って、選択された操作アイコン８１を、ハイライトしたり、色を変化させることによって、どちらが選択されているかをユーザが認識し易いように表示する。
【００４９】
ユーザが、リモートコマンダ４１の決定キー５４を押下したとき、ステップＳ１３において、内部制御部２２は、操作制御部２１からの制御信号を受け、選択されていた機能アイコン（ここでは機能アイコン８１）を、現在の状態から徐々に拡大（ズーミング）し、選択されなかった機能アイコン（ここでは機能アイコン８２）を徐々に薄く表示されるように、画面表示を制御する。そして、最終的には、選択された機能アイコン８１を、図９に示すように、大きく表示させる。
【００５０】
ステップＳ１４において、内部制御部２２は、メッセージ表示部７３に、どの機器の情報を再生するのかをユーザに選択させるための操作説明（例えば、図９に示す「choose play SOURCE」）を表示させる。
【００５１】
ステップＳ１５において、ユーザは、このメッセージに従って、リモートコマンダ４１のカーソルキー５３のうちの左右カーソルキー５３Ｌ，５３Ｒを操作することにより機器アイコンを選択する。内部制御部２２は、操作制御部２１から、この選択に対応する信号の入力を受けると、ステップＳ１６において、選択された機器アイコンを、図９に示すように拡大表示させる（図９の例では、デジタルビデオカムコーダ３に対応する、機器アイコンＤＶ２が拡大表示されている）。これにより、選択されている機器がどれであるのかをユーザが認識し易いようになる。
【００５２】
ステップＳ１７において、内部制御部２２は、操作制御部２１から、ユーザが、リモートコマンダ４１の決定キー５４を押下したことを示す信号を入力されると、ステップＳ１６において選択された機器アイコンの選択を確定する。
【００５３】
内部制御部２２は、ステップＳ１８において、ステップＳ１７において選択が確定された機器アイコン（いまの場合、機器アイコンＤＶ２）を、図１０に示すように、再生操作を表す機能アイコン８１に収容した形のアイコンとして表示させ、ステップＳ１９において、ユーザに、その機器アイコンＤＶ２の選択処理が終了したことをわかりやすく表示するために、機器アイコン表示部７１中の機器アイコンＤＶ２の輝度を、IEEE1394シリアルバス１およびセットトップボックス９に接続されている機器を表す機器アイコンより低く、接続されていない機器を表す機器アイコンより高い輝度に変更させる。
【００５４】
ステップＳ２０において、内部制御部２２は、図１０に示すように、メッセージ表示部７３の表示を中止し、代わりに、その部分をファンクション表示部７２として、選択された機器の処理を制御するための制御ボタン９１乃至９５（それぞれ、停止、巻戻し、再生、早送り、ポーズに対応する）を表示させる。ここで、現在の状態に対応する制御ボタン（ここでは、停止処理を示す制御ボタン９１）は、他のボタンと異なる色（例えば、制御ボタン９１のみ緑色で、他の制御ボタン９２乃至９５は赤色）で表示させる。これにより、現在の設定の状態を、ユーザが認識し易いようになる。更に、このとき、次に操作される可能性が高い制御ボタン（ここでは、再生処理を示す制御ボタン９３）が、既に選択された状態（但し、確定前の状態）として、他の制御ボタンより大きく表示される。
【００５５】
ステップＳ２１において、内部制御部２２は、操作制御部２１から、ユーザが、リモートコマンダ４１のカーソルキー５３のうち左右カーソルキー５３Ｌ，５３Ｒの操作によって、制御ボタンの選択が変更されたことを示す信号が入力された場合、選択された制御ボタンを拡大表示する。但し、ここでは、ユーザがリモートコマンダ４１のカーソルキー５３を操作しない場合（既に選択されている制御ボタン９３を選択したい場合）もあるので、その場合、ステップＳ２１の処理は実行されずに、処理はステップＳ２２に進む。
【００５６】
ステップＳ２２において、内部制御部２２は、操作制御部２１から、ユーザが、リモートコマンダ４１の決定キー５４を押下したことを示す信号を入力され、ステップＳ２０において予め選択されていた、もしくは、ステップＳ２１において新たに選択された制御ボタンの選択を確定する。
【００５７】
ステップＳ２３において、内部制御部２２は、ステップＳ２２において選択が確定された制御ボタンの処理に対応する制御コマンドを、IEEE1394シリアルバスインタフェイス２３およびIEEE1394シリアルバス１、あるいは、入出力制御部２４を介して、対応する機器に出力する。例えば、機器制御画面６１が図１０の状態であるときに、ユーザが決定キー５４を押下した場合、デジタルビデオカムコーダ３に、データの再生を指示するコマンドが、IEEE1394シリアルバス１を介して供給され、デジタルビデオカムコーダ３は、このコマンドに対応して、データの再生処理を開始する。
【００５８】
内部制御部２２は、IEEE1394シリアルバス１と、IEEE1394シリアルバスインタフェイス２３を介して、この再生データの供給を受けると、音声信号を、音声信号再生部２７を介してスピーカ１０に出力させ、映像信号を、映像信号再生部２８および映像ミックス部３０を介してモニタ１１に出力させる。
【００５９】
ステップＳ２４において、内部制御部２２は、現在の状態に対応する制御ボタンを緑色で表示させ、次に操作される可能性の高い制御ボタンを選択された状態として表示させる。更に、内部制御部２２は、再生中であることをユーザが認識し易いように表示するためのアニメーションを、機能アイコンに表示させ、処理を終了する。
【００６０】
例えば、機器制御画面６１が図１０の状態であるときに、ユーザが決定キー５４を押下した場合、機器制御画面６１は、図１１に示される画面に変更される。制御ボタン９３は緑色で表示され、次に選択される可能性の高い、ポーズのための制御ボタン９５が選択された状態として大きく表示される。そして、機能アイコン８１には、例えば、矢印が流れるアニメーションや、矢印が上部から順番にハイライトされるアニメーションなどが表示され、ユーザが、視覚的に再生中であることを認識できるような機器制御画面６１が構成される。
【００６１】
なお、ユーザは、どのステップにおいても、図３に示されるリモートコマンダ４１のエスケープキー５２を押下することにより、決定した処理を取り消し、処理画面を１つ前に戻すことができる。例えば、図１０に示す機器制御画面６１が表示されている状態において、エスケープキー５２が操作されると、機器制御画面６１は、図９に示す状態に変更される。そこでユーザは、例えば、左右カーソルキー５３Ｌ，５３Ｒを操作して、新たな機器アイコンを選択することができる。
【００６２】
次に、図１２乃至図１４のフローチャートを参照して、IEEE1394シリアルバス１およびセットトップボックス９に接続されている機器、もしくは、機器に挿入されているメディアに記録されているデータを、他の機器、もしくは、機器に挿入されているメディアにダビングする処理について説明する
ステップＳ４１において、内部制御部２２は、図１７のステップＳ１１と同様の処理により、モニタ１１に、図４に示される機器制御画面６１を表示させる。モニタ１１の機器制御画面６１のメッセージ表示部７３には、「Please Chose FUNCTIN」という操作説明が表示される。
【００６３】
ステップＳ４２において、ユーザは、メッセージ表示部７３に表示されているメッセージに従って、ファンクション表示部７２に表示されている機能アイコンが表す処理（ここでは、再生もしくはダビング）のうちの所望の処理を表す機能アイコンを、リモートコマンダ４１のカーソルキー５３のうちの上下カーソルキー５３Ｕ，５３Ｄを操作することにより選択する。ここでは、ユーザは、ダビング処理を指示する機能アイコン８２を選択することとする。そして、内部制御部２２は、操作制御部２１からの制御信号に従って、選択された操作アイコン８２を、ハイライトしたり、色を変化させることによって、どちらが選択されているかをユーザが認識し易いように表示する。
【００６４】
ユーザが、リモートコマンダ４１の決定キー５４を押下したとき、ステップＳ４３において、内部制御部２２は、操作制御部２１からの制御信号を受け、選択されていた機能アイコン（ここでは機能アイコン８２）を、現在の状態から徐々に拡大（ズーミング）し、選択されなかった機能アイコン（ここでは機能アイコン８１）を徐々に薄く表示されるように、画面表示を制御する。そして、最終的には、選択された機能アイコン８２を、図１５に示すように、大きく表示させる。
【００６５】
ステップＳ４４において、内部制御部２２は、メッセージ表示部７３に、どの機器から情報を読み出すのかをユーザに選択させるための操作説明（例えば、図１５に示す「choose dubbing SOURCE」）を表示させる。
【００６６】
ステップＳ４５において、ユーザが、このメッセージに従って、リモートコマンダ４１のカーソルキー５３のうちの左右カーソルキー５３Ｌ，５３Ｒを操作すると、内部制御部２２は、操作制御部２１からその操作に対応する信号の入力を受け、ステップＳ４６において、選択された機器アイコンを、図１５に示すように拡大表示させる（ここでは、デジタルビデオカムコーダ３に対応する、機器アイコンＤＶ２が拡大表示されている）。これにより、選択されている機器がどれであるのかをユーザが認識し易いようになる。
【００６７】
ステップＳ４７において、内部制御部２２は、操作制御部２１から、ユーザが、リモートコマンダ４１の決定キー５４を押下したことを示す信号を入力されると、ステップＳ４５において選択された機器アイコンの選択を確定する。
【００６８】
ステップＳ４８において、内部制御部２２は、ステップＳ４７において選択が確定された機器アイコンを、図１６に示すように、ダビング操作を表す機能アイコン８２のダビングソースを示す部分に収容した形のアイコンとして表示させる。
【００６９】
ステップＳ４９において、内部制御部２２は、ステップＳ４７において選択が確定された機器は、これ以降のステップで選択できないことを、ユーザが認識し易いように表示するために、機器アイコンＤＶ２の輝度を低く表示させる（IEEE1394シリアルバス１およびセットトップボックス９に接続されている機器に対応する機器アイコンより低く、接続されていない機器に対応する機器アイコンより高い輝度にする）。
【００７０】
ステップＳ５０において、内部制御部２２は、メッセージ表示部７３に、どの機器に読み出した情報を記録させるのかをユーザに選択させるための操作説明（例えば、図１６に示す「choose dubbing DESTINATION」）を表示させる。
【００７１】
内部制御部２２は、ステップＳ５１において、ユーザが、リモートコマンダ４１のカーソルキー５３のうちの左右カーソルキー５３Ｌ，５３Ｒを操作することにより生成される、選択する機器の変更を表す信号を、操作制御部２１から入力されると、ステップＳ５２において、選択された機器から送信され、メモリ２６に保存されている、最新の記録媒体の状態を表す信号から、選択された機器に書き込み可能なメディアが挿入されているか否かを判断する。
【００７２】
ステップＳ５２において、書き込み可能なメディアが挿入されていない（メディアが挿入されていない場合も含む）と判断された場合、ステップＳ５３において、内部制御部２２は、メッセージ表示部７３に、ステップＳ５１において選択された機器アイコンに対応する機器に挿入されているメディアは、書き込み不可であること（もしくはメディアが挿入されていないこと）を示す操作説明を表示させる。そして処理は、ステップＳ５０に戻り、それ以降の処理が繰り返される。
【００７３】
ステップＳ５２において、書き込み可能なメディアが挿入されてていると判断された場合、ステップＳ５４において、内部制御部２２は、ステップＳ４６と同様に、選択された機器アイコンを拡大表示することによって、選択されている機器はどれであるかをユーザが認識し易いように表示する。ここでは、デジタルビデオカムコーダ４に対応する、ＤＶ３と示される機器アイコンが選択されたとする。
【００７４】
ステップＳ５５において、内部制御部２２は、操作制御部２１から、ユーザが、リモートコマンダ４１の決定キー５４を押下したことを示す信号を入力されると、ステップＳ５１において選択された機器アイコンの選択を確定する。
【００７５】
ステップＳ５６において、内部制御部２２は、ステップＳ５５において選択が確定された機器アイコン（ここでは、機器アイコンＤＶ３）を、図１７に示すように、ダビング操作を表す機能アイコン８２のダビングデスティネーション（ダビング先）を示す部分に収容した形のアイコンとして表示させる。
【００７６】
ステップＳ５７において、内部制御部２２は、機器選択処理が終了されたことを、ユーザが認識し易いように表示するために、機器アイコン表示部７１の機器アイコンＤＶ３の輝度を、IEEE1394シリアルバス１およびセットトップボックス９に接続されている機器に対応する機器アイコンの輝度より低く、接続されていない機器に対応する機器アイコンより高い輝度に変更させる。
【００７７】
ステップＳ５８において、内部制御部２２は、図１７に示すように、メッセージ表示部７３の表示を中止し、代わりに、その部分にファンクション表示部７２として、ダビング処理を制御するための制御ボタン１０１，１０２（それぞれ、開始または停止に対応する）を表示させる。ここで、現在の停止状態に対応する制御ボタン１０２は、例えば緑色で表示されることによって、現在の設定の状態を、ユーザが認識し易いように表示される。そして、次に操作されるのは、必ずダビング開始を指示するための制御ボタン１０１であるから、この制御ボタン１０１は、既に選択された状態（但し、確定前の状態）として、制御ボタン１０２より大きく表示される。
【００７８】
内部制御部２２は、ステップＳ５９において、操作制御部２１から、ユーザが、リモートコマンダ４１の決定キー５４を押下したことを示す信号を入力されると、ステップＳ６０において、そのとき、選択されていた制御ボタンの処理に対応する制御コマンドを、IEEE1394シリアルバスインタフェイス２３およびIEEE1394シリアルバス１、あるいは、入出力制御部２４を介して、対応する機器に出力する。
【００７９】
例えば、機器制御画面６１が図１７に示す状態である場合、ユーザが決定キー５４を押下したとき、デジタルビデオカムコーダ３は、データをデジタルカムコーダ４に出力する指示を表すコマンドを、セットトップボックス９の内部制御部２２から、IEEE1394シリアルバスインタフェイス２３、および、IEEE1394シリアルバス１を介して入力され、自分自身が記録しているデータを、デジタルカムコーダ４に、IEEE1394シリアルバス１を介して出力する処理を開始する。一方、デジタルカムコーダ４は、入力されたデータの記録を指示するコマンドを、セットトップボックス９の内部制御部２２から、IEEE1394シリアルバスインタフェイス２３、および、IEEE1394シリアルバス１を介して入力されると、IEEE1394シリアルバス１を介して入力される、デジタルカムコーダ３に記録されていたデータを記録する処理を開始する。
【００８０】
ステップＳ６１において、内部制御部２２は、現在の状態に対応する制御ボタン１０１を緑色で表示させ、次に操作される制御ボタン１０２を選択された状態として大きく表示させる。更に、内部制御部２２は、ダビング処理中であることをユーザが認識し易いようにするためのアニメーションを、機能アイコンに表示させ、処理が終了される。
【００８１】
例えば、機器制御画面６１が図１７に示す状態である場合、ユーザが決定キー５４を押下したとき、機器制御画面６１は、図１８に示される画面に変更され、機能アイコン８２には、例えば、機器アイコンＤＶ２側から、機器アイコンＤＶ３側に矢印が流れるアニメーションや、機器アイコンＤＶ２側から、機器アイコンＤＶ３側に、矢印が順番にハイライトされるアニメーションなどが表示され、デジタルビデオカムコーダ３から、デジタルビデオカムコーダ４にデータをダビングしている処理中であることを、ユーザが、視覚的に認識できるような機器制御画面６１が構成される。
【００８２】
なお、この場合においても、ユーザは、どのステップにおいても、図３に示されるリモートコマンダ４１のエスケープキー５２を押下することにより、決定した処理を取り消し、処理画面を１つ前に戻すことができる。
【００８３】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアとしての情報処理装置に組み込まれているコンピュータ（例えば、図２の内部制御部２２）、または、各種のプログラムをインストールすることで、各種の機能を実行することが可能な、例えば汎用のパーソナルコンピュータ（例えば、図１のパーソナルコンピュータ５）などにインストールされる。
【００８４】
この記録媒体は、図２に示すように、コンピュータとは別に、ユーザにプログラムを提供するために配布される、プログラムが記録されている磁気ディスク３２（フロッピーディスクを含む）、光ディスク３３（CD-ROM(Compact Disk-Read Only Memory），DVD(Digital Versatile Disk)を含む)、光磁気ディスク３４（ＭＤ(Mini-Disk)を含む）、もしくは半導体メモリ３５などよりなるパッケージメディアにより構成されるだけではなく、セットトップボックス９に予め組み込まれた状態でユーザに提供される、プログラムが記録されているメモリ２６などで構成されている。
【００８５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００８６】
なお、本明細書において、システムとは、複数の装置により構成される装置全体を表すものである。
【００８７】
【発明の効果】
本発明によれば、ユーザの操作回数が減少され、操作性を向上することができる。
【図面の簡単な説明】
【図１】ネットワークシステムの構成を示すブロック図である。
【図２】図１のセットトップボックスの詳細な構成を示すブロック図である。
【図３】リモートコマンダの外観の構成を示す図である。
【図４】図１、図２のモニタに表示される機器制御画面を説明するための図である。
【図５】ダビング先に指定できない機器に対応する機器アイコンの表示の例を説明するための図である。
【図６】機器アイコン表示処理を説明するためのフローチャートである。
【図７】再生処理を説明するためのフローチャートである。
【図８】再生処理を説明するためのフローチャートである。
【図９】図１、図２のモニタに表示される機器制御画面を説明するための図である。
【図１０】図１、図２のモニタに表示される機器制御画面を説明するための図である。
【図１１】図１、図２のモニタに表示される機器制御画面を説明するための図である。
【図１２】ダビング処理を説明するためのフローチャートである。
【図１３】ダビング処理を説明するためのフローチャートである。
【図１４】ダビング処理を説明するためのフローチャートである。
【図１５】図１、図２のモニタに表示される機器制御画面を説明するための図である。
【図１６】図１、図２のモニタに表示される機器制御画面を説明するための図である。
【図１７】図１、図２のモニタに表示される機器制御画面を説明するための図である。
【図１８】図１、図２のモニタに表示される機器制御画面を説明するための図である。
【符号の説明】
１  IEEE1394シリアルバス，  ２乃至４  デジタルビデオカムコーダ，  ５  パーソナルコンピュータ，  ６  ハードディスクレコーダ，  ７  CDプレーヤ，８  MDプレーヤ，  ９  セットトップボックス，  １０  スピーカ，  １１  モニタ，  １２  ビデオディスクレコーダ，  ２１  操作制御部，  ２２  内部制御部，  ２３  IEEE1394シリアルバスインタフェイス，  ２４  入出力制御部，  ２６  メモリ，２８  映像信号再生部，  ２９グラフィックス表示信号作成部，  ３０  映像ミックス部，  ４１  リモートコマンダ，  ５２  エスケープキー，  ５３  カーソルキー，  ５４  決定キー，  ６１  機器制御画面，  ７１  機器アイコン表示部，  ７２  ファンクション表示部，  ７３  メッセージ表示部，  ８１，８２  機能アイコン，  ９１乃至９５  制御ボタン
【図１】
0004399685.tif 000002
【図２】
0004399685.tif 000003
【図３】
0004399685.tif 000004
【図４】
0004399685.tif 000005
【図５】
0004399685.tif 000006
【図６】
0004399685.tif 000007
【図７】
0004399685.tif 000008
【図８】
0004399685.tif 000009
【図９】
0004399685.tif 000010
【図１０】
0004399685.tif 000011
【図１１】
0004399685.tif 000012
【図１２】
0004399685.tif 000013
【図１３】
0004399685.tif 000014
【図１４】
0004399685.tif 000015
【図１５】
0004399685.tif 000016
【図１６】
0004399685.tif 000017
【図１７】
0004399685.tif 000018
【図１８】
0004399685.tif 000019